(57)【要約】【課題】  ｉＳＣＳＩ装置のポートプロセッサの過負荷分散。【解決手段】  複数ポート４１ａ〜４１ｂ及びターゲットイメージ４３ａ〜４３ｃを備えるｉＳＣＳＩ装置４０と、該ｉＳＣＳＩ装置４０に接続する複数のイニシエータ１０ａ〜１０ｃと、ポートとターゲットイメージとの登録接続情報を格納した登録情報テーブル５０１及び接続中イニシエータの接続中情報を格納した構成情報テーブル５０２とを含むｉＳＮＳサーバ３０とを備えるコンピュータシステムにおける負荷分散システムであって、構成情報テーブル５０１の接続中情報を参照して過負荷ポートを検出したとき、登録情報テーブル５０２の登録接続情報から過負荷ポート４１ａとターゲットイメージ４３ａとの登録情報を削除し、当該接続を切断し、該切断したイニシエータ１０ａが登録情報テーブル５０２を参照してターゲットイメージ４３ａと接続するように制御するもの。【選択図】図１
2006293570.tif 000002
【特許請求の範囲】
【請求項１】
複数のポート及び該ポートを介した複数のターゲットイメージを備え、接続中イニシエータとの動的な接続状態を表す接続情報を含む構成情報テーブルを含むｉＳＣＳＩ装置と、該ｉＳＣＳＩ装置に対して前記ポートを介して接続する複数のイニシエータと、前記ｉＳＣＳＩ装置のポートとターゲットイメージとの物理的接続状態を表す登録接続情報を格納した登録情報テーブルを含むｉＳＮＳサーバとを備え、前記イニシエータが前記ｉＳＮＳサーバの登録情報テーブルを参照してｉＳＣＳＩ装置のターゲットイメージに接続するコンピュータシステムにおけるプロセッサ負荷分散システムであって、
前記ポートの制御を行うプロセッサがｉＳＣＳＩ装置の構成情報テーブルを参照してポートに対する負荷を監視し、該負荷が閾値より大きいポートを検出したとき及び閾値より小さいとき、前記閾値の大小を検知したポートに対応するポートとイニシエータ間の構成情報テーブルの接続情報を動的に変化させることを特徴とするプロセッサ負荷分散システム。
【請求項２】
複数のポート及び該ポートを介した複数のターゲットイメージを備え、接続中イニシエータとの動的な接続状態を表す接続情報を含む構成情報テーブルを含むｉＳＣＳＩ装置と、該ｉＳＣＳＩ装置に対して前記ポートを介して接続する複数のイニシエータと、前記ｉＳＣＳＩ装置のポートとターゲットイメージとの登録接続情報を格納した登録情報テーブルを含むｉＳＮＳサーバを備え、イニシエータが前記ｉＳＮＳサーバの登録情報テーブルを参照してｉＳＣＳＩ装置のターゲットイメージに接続するコンピュータシステムにおけるプロセッサ負荷分散システムであって、
ポートの制御を行うプロセッサが構成情報テーブルの接続情報を参照し、ポートに所定閾値以上の負荷を検出したとき、前記登録情報テーブルの登録接続情報から前記特定のポートに接続されているターゲットイメージとの登録情報を削除すると共に、当該ターゲットイメージが接続されているポートとイニシエータとの接続を切断し、該切断したイニシエータが前記登録情報テーブルを参照して当該ターゲットイメージに経路を切り替えて再接続するように制御することを特徴とするプロセッサ負荷分散システム。
【請求項３】
複数のポート及び該ポートを介した複数のターゲットイメージを備え、接続中イニシエータとの動的な接続状態を表す接続情報を含む構成情報テーブルを含むｉＳＣＳＩ装置と、該ｉＳＣＳＩ装置に対して前記ポートを介して接続する複数のイニシエータと、前記ｉＳＣＳＩ装置のポートとターゲットイメージとの物理的接続状態を表す登録接続情報を格納した登録情報テーブルｉＳＮＳサーバを備え、前記イニシエータが前記ｉＳＮＳサーバの登録情報テーブルの接続情報を参照してｉＳＣＳＩ装置のターゲットイメージに接続するコンピュータシステムにおけるプロセッサ負荷分散方法であって、
前記ｉＳＣＳＩ装置の構成情報テーブルの接続情報を参照してポートに対する負荷が閾値より大きいポートを検出したとき及び閾値より小さいときを判定する工程と、前記閾値の大小を検知したポートに対応するポートとイニシエータ間の構成情報テーブルの接続情報を動的に変化させる工程とを含むことを特徴とするプロセッサ負荷分散方法。
【請求項４】
複数のポート及び該ポートを介した複数のターゲットイメージを備え、接続中イニシエータとの動的な接続状態を表す接続情報を含む構成情報テーブルを含むｉＳＣＳＩ装置と、該ｉＳＣＳＩ装置に対して前記ポートを介して接続する複数のイニシエータと、前記ｉＳＣＳＩ装置のポートとターゲットイメージとの登録接続情報を格納した登録情報テーブルｉＳＮＳサーバとを備え、イニシエータが前記ｉＳＮＳサーバの登録情報テーブルを参照してｉＳＣＳＩ装置のターゲットイメージに接続するコンピュータシステムにおけるプロセッサ負荷分散方法であって、
ポートの制御を行うプロセッサが構成情報テーブルの接続情報を参照して特定のポートに所定閾値以上の接続が行われているとき、前記登録情報テーブルの登録接続情報から前記特定のポートに接続されているターゲットイメージとの登録情報を削除する工程と、当該ターゲットイメージが接続されているポートとイニシエータとの接続を切断する工程と、該切断したイニシエータが前記登録情報テーブルを参照してターゲットイメージと接続する工程とを実行することを特徴とするプロセッサ負荷分散方法。
【発明の詳細な説明】
【技術分野】
【０００１】
本発明は、複数のイニシエータから複数のポートを介して複数のターゲットにアクセスするコンピュータシステムにおけるプロセッサ負荷分散システム及びプロセッサ負荷分散方法に係り、具体的には、複数のポートを搭載したｉＳＣＳＩ記憶装置に複数のホストからアクセスを行う際のポートを介する負荷を分散することができるプロセッサ負荷分散システム及びプロセッサ負荷分散方法に関する。
【背景技術】
【０００２】
近年、コンピュータシステムの外部記憶装置としては、多数の磁気ディスク装置を内蔵したストレージシステムが知られている。このストレージシステムは、多数の磁気ディスク装置を内蔵し、ＲＡＩＤと呼ばれる複数の磁気ディスク装置を組み合わせて冗長化した磁気ディスク装置として管理する技術が採用され、例えばネットワークシステムに接続され、多数のホストコンピュータ（以下、ホストと呼ぶ）からデータの記憶領域として使用されている。
【０００３】
このストレージシステムは、外部接続用の複数のポートが用意され、任意のホストからスイッチを介して任意のポートを介して任意の磁気ディスク装置にアクセスするように構成されている。
【０００４】
一方、前記ストレージシステムをネットワーク接続する技術して、近年、「ｉＳＣＳＩ（アイスカジー）」と呼ばれる技術が提案されている。このｉＳＣＳＩとは、ＳＣＳＩコマンドやデータをＴＣＰ／ＩＰパケットの伝送フレーム中に包み込み（ＳＣＳＩコマンド等を外部から隠蔽）、ストレージシステムをネットワーク網に直結して、ストレージシステムとホスト間におけるＳＣＳＩコマンドをＩＰネットワーク経由で送受信を行うための規格である。
【０００５】
他方、例えば複数のサーバにネットワークを介して複数のクライアントがアクセスするコンビュータシステムにおいて、特定のサーバに負荷が集中することを防止するため、接続状態の負荷を監視し、監視した負荷状態に応じて負荷を分散する技術が記載された文献としては、例えば下記特許公報が挙げられる。
【特許文献１】特開平１０−３１２３６５号公報
【特許文献２】特開平１１−１８７３４０号公報
【発明の開示】
【発明が解決しようとする課題】
【０００６】
前述のストレージシステムをネットワークを介して複数のホストとｉＳＣＳＩ接続を行うシステムにおいては、前記ｉＳＣＳＩシステムの接続情報を管理するｉＳＮＳサーバがホスト（イニシエータとも呼ぶ）からの問い合わせに対して予め設定されている磁気ディスク装置（ターゲットとも呼ぶ）の一覧を返し、ホストが前記一覧から任意の磁気ディスク装置（ターゲット）のポートを選択してデータの送受信を行うように構成されているため、あるポートに多数のホストが接続されて当該ポートのプロセッサ負荷が増大し、ネットワークにおけるデータ送受信効率が低下する可能性があると言う不具合があった。
【０００７】
他方、前述した一般のコンピュータシステムにおける負荷分散の手法は、データ転送路に負荷を監視する専用装置を設け、この監視専用装置が負荷分散を制御するものであるが、前述したストレージシステム内部における特定のポートに対する負荷分散を行うことは考慮されておらず、前記特定のポートに対して負荷が集中する可能性があると言う不具合があった。
【０００８】
本発明の目的は、前述の従来技術による不具合を除去することであり、ｉＳＣＳＩ技術を用いてネットワーク接続されたストレージシステム内部における特定のポートに対する負荷集中を防止し、負荷分散を行うことができるプロセッサ負荷分散システム及びプロセッサ負荷分散方法を提供することである。
【課題を解決するための手段】
【０００９】
前記目的を達成するため本発明は、複数のポート及び該ポートを介した複数のターゲットイメージを備え、接続中イニシエータとの動的な接続状態を表す接続情報を含む構成情報テーブルを含むｉＳＣＳＩ装置と、該ｉＳＣＳＩ装置に対して前記ポートを介して接続する複数のイニシエータと、前記ｉＳＣＳＩ装置のポートとターゲットイメージとの物理的接続状態を表す登録接続情報を格納した登録情報テーブルを含むｉＳＮＳサーバとを備え、前記イニシエータが前記ｉＳＮＳサーバの登録情報テーブルを参照してｉＳＣＳＩ装置のターゲットイメージに接続するコンピュータシステムにおけるプロセッサ負荷分散システムにおいて、前記ポートの制御を行うプロセッサがｉＳＣＳＩ装置の構成情報テーブルを参照してポートに対する負荷を監視し、該負荷が閾値より大きいポートを検出したとき及び閾値より小さいとき、前記閾値の大小を検知したポートに対応するポートとイニシエータ間の構成情報テーブルの接続情報を動的に変化させることを第１の特徴とする。
【００１０】
更に本発明は、複数のポート及び該ポートを介した複数のターゲットイメージを備え、接続中イニシエータとの動的な接続状態を表す接続情報を含む構成情報テーブルを含むｉＳＣＳＩ装置と、該ｉＳＣＳＩ装置に対して前記ポートを介して接続する複数のイニシエータと、前記ｉＳＣＳＩ装置のポートとターゲットイメージとの登録接続情報を格納した登録情報テーブルを含むｉＳＮＳサーバを備え、イニシエータが前記ｉＳＮＳサーバの登録情報テーブルを参照してｉＳＣＳＩ装置のターゲットイメージに接続するコンピュータシステムにおけるプロセッサ負荷分散システムにおいて、ポートの制御を行うプロセッサが構成情報テーブルの接続情報を参照し、ポートに所定閾値以上の負荷を検出したとき、前記登録情報テーブルの登録接続情報から前記特定のポートに接続されているターゲットイメージとの登録情報を削除すると共に、当該ターゲットイメージが接続されているポートとイニシエータとの接続を切断し、該切断したイニシエータが前記登録情報テーブルを参照して当該ターゲットイメージに経路を切り替えて再接続するように制御することを第２の特徴とする。
【００１１】
また本発明は、複数のポート及び該ポートを介した複数のターゲットイメージを備え、接続中イニシエータとの動的な接続状態を表す接続情報を含む構成情報テーブルを含むｉＳＣＳＩ装置と、該ｉＳＣＳＩ装置に対して前記ポートを介して接続する複数のイニシエータと、前記ｉＳＣＳＩ装置のポートとターゲットイメージとの物理的接続状態を表す登録接続情報を格納した登録情報テーブルｉＳＮＳサーバを備え、前記イニシエータが前記ｉＳＮＳサーバの登録情報テーブルの接続情報を参照してｉＳＣＳＩ装置のターゲットイメージに接続するコンピュータシステムにおけるプロセッサ負荷分散方法において、前記ｉＳＣＳＩ装置の構成情報テーブルの接続情報を参照してポートに対する負荷が閾値より大きいポートを検出したとき及び閾値より小さいときを判定する工程と、前記閾値の大小を検知したポートに対応するポートとイニシエータ間の構成情報テーブルの接続情報を動的に変化させる工程とを含むことを第３の特徴とする。
【００１２】
更に本発明は、複数のポート及び該ポートを介した複数のターゲットイメージを備え、接続中イニシエータとの動的な接続状態を表す接続情報を含む構成情報テーブルを含むｉＳＣＳＩ装置と、該ｉＳＣＳＩ装置に対して前記ポートを介して接続する複数のイニシエータと、前記ｉＳＣＳＩ装置のポートとターゲットイメージとの登録接続情報を格納した登録情報テーブルｉＳＮＳサーバとを備え、イニシエータが前記ｉＳＮＳサーバの登録情報テーブルを参照してｉＳＣＳＩ装置のターゲットイメージに接続するコンピュータシステムにおけるプロセッサ負荷分散方法において、ポートの制御を行うプロセッサが構成情報テーブルの接続情報を参照して特定のポートに所定閾値以上の接続が行われているとき、前記登録情報テーブルの登録接続情報から前記特定のポートに接続されているターゲットイメージとの登録情報を削除する工程と、当該ターゲットイメージが接続されているポートとイニシエータとの接続を切断する工程と、該切断したイニシエータが前記登録情報テーブルを参照してターゲットイメージと接続する工程とを実行することを第４の特徴とする。
【発明の効果】
【００１３】
本発明によるプロセッサ負荷分散システム及びプロセッサ負荷分散方法は、過負荷のポートを検出し、過負荷ポートが検出されたとき、前記登録情報テーブルの登録接続情報から前記特定のポートに接続されているターゲットイメージとの登録接続情報を削除すると共に、当該ターゲットイメージが接続されているポートとイニシエータとの接続を切断し、該切断したイニシエータが前記登録情報テーブルを参照してターゲットイメージと接続するように制御することによって、ポートのプロセッサへの過負荷を分散することができる。
【発明を実施するための最良の形態】
【００１４】
以下、本発明の一実施形態によるプロセッサ負荷分散システム及びプロセッサ負荷分散方法を図面を参照して詳細に説明する。図１は本発明によるプロセッサ負荷分散方法を適用したプロセッサ負荷分散システムの全体構成を説明するための図、図２は本実施形態によるｉＳＣＳＩストレージの構成情報テーブルを示す図、図３は本実施形態によるｉＳＮＳサーバの登録情報テーブルを示す図、図４は本実施形態によるポート切り替え時のフローチャート図、図５は本実施形態による同切り替え時のｉＳＮＳサーバ動作フローチャート図、図６は本実施形態によるログアウト受信時のイニシエータ動作フローチャート図、図７は同切り替え時のシーケンス図、図８〜図１３は本実施形態によるプロセッサ負荷分散システムの動作説明図。
【００１５】
本実施形態によるプロセッサ負荷分散システムは、図１に示す如く、複数のホストに相当するイニシエータ１０ａ〜１０ｃと、該イニシエータ１０ａ〜１０ｃとスイッチ２０を介して接続され、この接続中の情報を管理するｉＳＣＳＩストレージシステム４０とｉＳＮＳサーバ３０とから構成され、前記ｉＳＣＳＩストレージシステム４０は、磁気ディスク装置に相当する複数のターゲットイメージ４３ａ〜４３ｃと、前記スイッチ２０と接続するポート４１ａ〜４１ｂと、該ポート４１ａに設けられたプロセッサ４２ａと、前ポート４１ｂに設けられたプロセッサ４２ｂとから成り、プロセッサ４２ａ及びプロセッサ４２ｂが個々にターゲットイメージ４３ａ〜４３ｃに接続する様に構成されている。
【００１６】
前記イニシエータ１０ａ〜１０ｃは、目的とするターゲットイメージ４３ａ〜４３ｃに対してコマンドを発行するデバイスを意味し、例えばホストコンピュータを指し、前記ｉＳＮＳサーバ３０は、前記ｉＳＣＳＩストレージシステム４０における各ポート４１ａ〜４１ｂ対応に論理的に接続されたターゲットイメージ４３ａ〜４３ｃの接続状態を登録接続情報として予め登録する登録情報テーブルを有し、イニシエータ１０ａ〜１０ｃからの問い合わせに対して前記登録情報テーブルを参照して物理的に接続可能なポートを応答として返送する機能と、前記接続情報を構成情報テーブルに格納する機能とを備える。
【００１７】
前記登録情報は、例えば図２に示す如く、ｉＳＣＳＩストレージシステム４０のポート４１ａ〜４１ｂのＩＰアドレスである［ポート情報］と、ターゲットイメージ４３ａ〜４３ｃのｉＳＣＳＩネームである［ターゲット情報］と、どのイニシエータがどのターゲットイメージにログインしているかを管理するための［ログイン中イニシエータ情報］とを含むｉＳＣＳＩストレージ構成情報テーブルと、図３に示す如く、ターゲットイメージ（ｉＳＣＳＩネーム）対応のＩＰアドレスを格納したｉＳＮＳサーバ登録情報テーブルとから成る。ｉＳＣＳＩストレージ構成情報テーブルはｉＳＣＳＩストレージシステム４０（ｉＳＣＳＩ装置）が管理し、ｉＳＮＳサーバ登録情報はｉＳＮＳサーバ３０が管理し、各々に含まれる。ｉＳＮＳサーバ３０は、ｉＳＣＳＩストレージシステム４０からの要求にしたがってｉＳＮＳサーバ登録情報の更新を行う。
【００１８】
さて、この様に構成された本実施形態によるプロセッサ負荷分散システムは、例えば図８に示す如く、イニシエータ１０ａ〜１０ｃがスイッチ２０及びポート４１ａを介して３台のターゲットイメージ４３ａ〜４３ｃに接続されている場合、前述のｉＳＣＳＩストレージ構成情報テーブルに、符号５０１で示す如く、［ログイン中イニシエータ情報］において全イニシエータ１０ａ〜１０ｃがポート４１ａを介して接続されていることを登録する。
【００１９】
この状態において本プロセッサ負荷分散システムは、図４に示す如く、ポート４１ａに対して過負荷状態か否かを判定（ステップ１０１）し、過負荷状態と判定した場合、前記ｉＳＣＳＩストレージ構成情報テーブル１０５を参照して、接続しているイニシエータの検索を行う処理（ステップ１０２）を実行し、次いで接続イニシエータの切り替え優先順位（切り替えを行っても支障が少ないイニシエータ選択の優先順位）を決定する処理（ステップ１０３）と、この優先順位が高いターゲットイメージがイニシエータ１０ａと決定したとき、当該イニシエータ１０ａがログインしているターゲットイメージを検索する処理（ステップ１０４）を実行する。この検索を基に本システムは、ターゲットイメージ４３ａが複数のポートに接続されたターゲットであるか否かを判定（ステップ１０５）し、次いで切り替え先のポートが過負荷か否かを判定するためにポート４１ｂの負荷が閾値（例えば２）以下か否か判定（ステップ１０６）する。この負荷監視はポートの制御を行うプロセッサが行う。
【００２０】
この判定の結果、ポート４１ｂの負荷が閾値以下の場合、本システムは、ｉＳＮＳサーバ３０に、登録情報削除要求（図９のテーブル５０２の最上段の項目［１］：ターゲットイメージ４３ａ［ｅｕｉ．０００１］のポートのＩＰアドレス［１０２．１６８．０．１００］を介する設定の削除要求）を発する（ステップ１０７）。この登録情報削除要求を受けたｉＳＮＳサーバ３０は、図５の符号Ａに示す如く、登録情報削除要求の有無の判定（ステップ２０５）を行い、当該ターゲット情報（図９の情報テーブル５０２の項目［１］）の削除（図９の「［３］情報削除」）を実行する。
【００２１】
次いで本プロセッサ負荷分散システムは、図４に戻ってターゲットイメージ４３ａがイニシエータ１０ａに対するログアウトを発行（ステップ１０８、図１０の「［４］ログアウト発行」を参照）する。このログアウトを受けたイニシエータ１０ａは、図６の符号Ｂに示す如く、ログアウトの受領の有無を判定（ステップ３０１）し、指定されたターゲットイメージに対するコネクションの切断処理（ステップ３０２、図６の「［５］コネクション切断処理」）を行った後に、ｉＳＮＳサーバ３０にターゲット情報の取得要求（ステップ３０３）を行い、この取得要求を受けたｉＳＮＳサーバ３０が、図５の符号Ｄに示す如く、情報取得要求の有無を判定（ステップ２０１）を経てターゲット情報の送信処理（ステップ２０２）を実行する。
【００２２】
このターゲット情報の送信処理を受けたイニシエータ１０ａは、図６の符号Ｅに示す如く、ターゲット情報取得処理３０４及びターゲットへのログイン処理（図１１の「［７］情報取得」）を実行し、イニシエータ１０ａがｉＳＮＳサーバ登録情報テーブル５０２を参照した際に前記項目［１］が削除されているため次の項目［２］、即ちポート４１ｂを介する登録情報が参照されることによりターゲットの決定（図１２の「［８］ログイン先ターゲット決定」）を行い、ポート４１ｂを介してターゲットイメージ４３ａへ再接続を行う（ステップ３０５、図１２の「［９］ログイン処理」）。
【００２３】
このように即ち本実施形態によるプロセッサ負荷分散システムは、過負荷のポートを検出し、過負荷ポートが検出されたとき、当該過負荷ポートに接続されているイニシエータとポートとの関係を登録した情報テーブル５０２の一部を削除すると共に、ターゲットイメージ側からイニシエータに対してログオフを行なうことを契機にイニシエータが再度ログオンを行い、この再度ログオン時に参照される情報テーブル５０２には前記過負荷状態であった登録情報（イニシエータとポートとの関係を示す項目［１］）が削除されているため、イニシエータ１０ａが前記登録情報中からターゲットイメージ４３ａ（ｅｕｉ．０００１）が接続されている他の登録情報、具体的には図９の登録情報テーブル５０２の項目［２］を選択してログオンを行うことによって、ポートプロセッサ４２ａの過負荷を分散することができる。
【００２４】
他方、図４に戻り、前記ステップ１０５又は１０６において、ターゲットイメージ４３ａが複数ポートに接続されていない又は負荷が閾値以下と判定した場合、本システムは、ステップ１０３で決定した優先順位に従って他のイニシエータに対して前記ステップ１０１〜１０８を繰り返して実行するため処理対象とするイニシエータの切り替え処理（ステップ１０９）を行う。
【００２５】
また本システムは、前記ステップ１０１において、ポート４１ａが過負荷状態でないと判定した場合、ポート４１ａの負荷が閾値以下か否かの判定（ステップ１１０）を行い、閾値以下と判定したとき、前記ステップ１０７等による登録削除中のターゲットイメージがあるか否かを判定（ステップ１１１）し、あると判定したときにｉＳＮＳサーバ３０に前記過負荷が解消されたポートとターゲットイメージの組合せの登録情報（登録情報テーブル５０２の項目［１］）の情報登録の要求（ステップ１１２）を行い、この要求によって、ｉＳＮＳサーバ３０が、図５の符号Ｃに示す如く、情報登録要求の有無を判定（ステップ２０３）を行ってから前記ターゲット情報登録の処理（ステップ２０４、図１３の「［１０］情報登録要求」）を行い、これによって過負荷状態でないポートの登録情報を復帰することができる。本実施形態によるプロセッサ負荷分散システムによる前述の一連の動作は、図７に示す如く、イニシエータ１０ａ〜１０ｃからのポート４１ａを介するターゲットイメージ４３ａ〜４３ｃにログインを行っているポート４１ａのプロセッサ過負荷の状態において、当該過負荷状態を検出し、ポート切り替えを行うイニシエータを優先順位の判定に応じて決定し、ターゲット４３ａ自身が当該接続の登録情報を削除する要求を行い、これに応じてｉＳＮＳサーバ３０の該当の登録情報を削除してから当該ポート４１ａを介したターゲットイメージ４３ａの接続を切断し、イニシエータ１０ａが再度の接続を行う際にポート４１ｂを介する接続を確立し、従ってポートの過負荷を回避することができる。
【００２６】
以上述べた如く本実施形態によれば、ｉＳＣＳＩストレージシステム４０の各ポート４１ａ及び４１ｂを介するイニシエータ１０ａ〜１０ｃからの接続状態を監視し、あるポートを介するログインが所定値以上又は所定値未満の場合にｉＳＮＳサーバ３０の登録情報テーブル５０２を動的に書き換えることによって、特定のポートへの過負荷を自動的に分散することができる。
【産業上の利用可能性】
【００２７】
前記実施形態においては、本発明のプロセッサ負荷分散システム及びプロセッサ負荷分散方法を、複数の磁気ディスク装置をターゲットイメージとする例を説明したが、イニシエータ及びターゲットイメージはホストコンピュータや磁気ディスク装置に限られるものではなく、ｉＳＣＳＩ接続が可能な多種多様な周辺機器等の制御に適用することができる。
【図面の簡単な説明】
【００２８】
【図１】本発明によるプロセッサ負荷分散方法を適用したプロセッサ負荷分散システムの全体構成を説明するための図。
【図２】本実施形態によるｉＳＣＳＩストレージの構成情報テーブルを示す図。
【図３】本実施形態によるｉＳＮＳサーバの登録情報テーブルを示す図。
【図４】本実施形態によるポート切り替え時のフローチャート図。
【図５】本実施形態による同切り替え時のｉＳＮＳサーバ動作フローチャート図。
【図６】本実施形態によるログアウト受信時のイニシエータ動作フローチャート図。
【図７】同切り替え時のイニシエータ動作シーケンス図。
【図８】本実施形態によるプロセッサ負荷分散システムの動作説明図。
【図９】本実施形態によるプロセッサ負荷分散システムの動作説明図。
【図１０】本実施形態によるプロセッサ負荷分散システムの動作説明図。
【図１１】本実施形態によるプロセッサ負荷分散システムの動作説明図。
【図１２】本実施形態によるプロセッサ負荷分散システムの動作説明図。
【図１３】本実施形態によるプロセッサ負荷分散システムの動作説明図。
【符号の説明】
【００２９】
１０ａ〜１０ｃ：イニシエータ、４３ａ〜４３ｃ：ターゲットイメージ、４１ａ〜４１ｂ：ポート、２０：スイッチ、３０：ｉＳＮＳサーバ、４０：ストレージシステム、４２ａ：プロセッサ、４２ｂ：プロセッサ、５０２：サーバ登録情報テーブル、５０２：登録情報テーブル。
【図１】
2006293570.tif 000003
【図２】
2006293570.tif 000004
【図３】
2006293570.tif 000005
【図４】
2006293570.tif 000006
【図５】
2006293570.tif 000007
【図６】
2006293570.tif 000008
【図７】
2006293570.tif 000009
【図８】
2006293570.tif 000010
【図９】
2006293570.tif 000011
【図１０】
2006293570.tif 000012
【図１１】
2006293570.tif 000013
【図１２】
2006293570.tif 000014
【図１３】
2006293570.tif 000015